(57)【要約】【課題】小さな力で止水板を昇降でき、かつ止水性能が高い止水装置を提供する。【解決手段】支柱部材１には上端部に配置された上部スプロケット１１と下端部に配置された下部スプロケット１２に掛け回された昇降用チェーン１３が設けられており、止水板は側部が昇降用チェーン１３に固定されている。昇降用チェーン１３を駆動させて止水板３を下降させると、昇降用チェーン１３の下降側には下部スプロケット１２に引き付けられる張力が生じ、それにより止水板３を下方に引き付け床面に圧接できる。そのため、止水板３の重量を重くする必要がなく小さな力で止水板３を昇降でき、かつ止水性能が高い。【選択図】図１
2014227721.tif 000002
【特許請求の範囲】
【請求項１】
一対の支柱部材と、
該一対の支柱部材の上端部間に架け渡された梁部材と、
止水板と、
該止水板を昇降操作するための昇降操作手段と、を備え、
前記支柱部材には、
上端部に配置された上部スプロケットと、
下端部に配置された下部スプロケットと、
前記上部スプロケットと前記下部スプロケットに掛け回された無端ローラチェーンである昇降用チェーンと、が設けられており、
前記梁部材には、
一方の前記支柱部材に設けられた前記上部スプロケットと、他方の前記支柱部材に設けられた前記上部スプロケットとを連結する回転軸が設けられており、
前記止水板は、
一方の側部が一方の前記支柱部材に設けられた前記昇降用チェーンに固定され、他方の側部が他方の前記支柱部材に設けられた前記昇降用チェーンに固定されており、
前記昇降操作手段は、前記昇降用チェーンに駆動力を付与するものである
ことを特徴とする止水装置。
【請求項２】
前記止水板は、複数のスラットからなり、上昇させると前記回転軸の周囲に巻かれた状態で前記梁部材の内部に格納可能となっている
ことを特徴とする請求項１記載の止水装置。
【請求項３】
前記止水板には防水シートが貼り付けられており、
前記止水板を下降させた設置状態では前記防水シートの側縁部が前記支柱部材に接触して曲げられ、該止水板を上昇させた格納状態では該防水シートの側縁部の曲げが伸ばされるように構成されている
ことを特徴とする請求項２記載の止水装置。
【請求項４】
前記下部スプロケットは、前記上部スプロケットよりも外径が小さいものであり、
前記昇降用チェーンは、前記上部スプロケットに掛け回された長尺ピッチの第１チェーンの両端部と、前記下部スプロケットに掛け回された短尺ピッチの第２チェーンの両端部をそれぞれ連結して構成されており、
前記止水板の最下段の前記スラットは、前記第１チェーンの端部に固定されている
ことを特徴とする請求項２または３記載の止水装置。
【発明の詳細な説明】
【技術分野】
【０００１】
本発明は、止水装置に関する。さらに詳しくは、建物や構造物、地下駐車場、地下街、地下駅舎などの入口に設置され、高潮や集中豪雨などによる浸水を防止する止水装置に関する。
【背景技術】
【０００２】
特許文献１には、止水板をワイヤロープによって昇降させ、下降位置において止水板の下端面に設けた止水ゴムを自重によって床面に圧接し止水する昇降止水装置が記載されている。このように、止水板の自重により止水性能を確保するためには、止水板の重量を重くする必要がある。しかし、止水板の重量が重くなると、昇降に大きな力が必要となり、手動での昇降が困難となる。カウンタウエイトを設けて止水板の重量とつり合いを取れば、止水板の昇降に必要な力を軽減できるが、止水ゴムを圧接する力が弱くなり止水性能が低下するという問題がある。
【０００３】
特許文献２および３には、昇降板および駆動機構を床下に収納する防水板装置が記載されている。このようなタイプの防水板装置は、既設の建物に後付けで設置しようとすると、周囲環境の制約があり、工事期間が長く、工事費用が高くなるなどの問題がある。しかも、床下に収納された昇降板および駆動機構は構造が複雑になり専門業者による定期的な維持管理が必要となる。
【先行技術文献】
【特許文献】
【０００４】
【特許文献１】特開２００６−９３０５号公報
【特許文献２】特開２００３−３１４１５５号公報
【特許文献３】特開２００３−３３６４５４号公報
【発明の概要】
【発明が解決しようとする課題】
【０００５】
本発明は上記事情に鑑み、小さな力で止水板を昇降でき、かつ止水性能が高い止水装置を提供することを目的とする。
また、地上構造物であり既設の建物にでも後付けで容易に設置できる止水装置を提供することを目的とする。
【課題を解決するための手段】
【０００６】
第１発明の止水装置は、一対の支柱部材と、該一対の支柱部材の上端部間に架け渡された梁部材と、止水板と、該止水板を昇降操作するための昇降操作手段と、を備え、前記支柱部材には、上端部に配置された上部スプロケットと、下端部に配置された下部スプロケットと、前記上部スプロケットと前記下部スプロケットに掛け回された無端ローラチェーンである昇降用チェーンと、が設けられており、前記梁部材には、一方の前記支柱部材に設けられた前記上部スプロケットと、他方の前記支柱部材に設けられた前記上部スプロケットとを連結する回転軸が設けられており、前記止水板は、一方の側部が一方の前記支柱部材に設けられた前記昇降用チェーンに固定され、他方の側部が他方の前記支柱部材に設けられた前記昇降用チェーンに固定されており、前記昇降操作手段は、前記昇降用チェーンに駆動力を付与するものであることを特徴とする。
第２発明の止水装置は、第１発明において、前記止水板は、複数のスラットからなり、上昇させると前記回転軸の周囲に巻かれた状態で前記梁部材の内部に格納可能となっていることを特徴とする。
第３発明の止水装置は、第２発明において、前記止水板には防水シートが貼り付けられており、前記止水板を下降させた設置状態では前記防水シートの側縁部が前記支柱部材に接触して曲げられ、該止水板を上昇させた格納状態では該防水シートの側縁部の曲げが伸ばされるように構成されていることを特徴とする。
第４発明の止水装置は、第２または第３発明において、前記下部スプロケットは、前記上部スプロケットよりも外径が小さいものであり、前記昇降用チェーンは、前記上部スプロケットに掛け回された長尺ピッチの第１チェーンの両端部と、前記下部スプロケットに掛け回された短尺ピッチの第２チェーンの両端部をそれぞれ連結して構成されており、前記止水板の最下段の前記スラットは、前記第１チェーンの端部に固定されていることを特徴とする。
【発明の効果】
【０００７】
第１発明によれば、支柱部材の下端部に配置された下部スプロケットに掛け回された昇降用チェーンに止水板が固定されているので、昇降用チェーンを駆動させて止水板を下降させると、昇降用チェーンの下降側には下部スプロケットに引き付けられる張力が生じ、それにより止水板を下方に引き付け床面に圧接できる。そのため、止水板の重量を重くする必要がなく小さな力で止水板を昇降でき、かつ止水性能が高い。また、止水装置の全体形状が支柱部材と梁部材とからなる門形にまとまっており、地上構造物であるので既設の建物にでも後付けで容易に設置できる。
第２発明によれば、止水板を巻いた状態で梁部材の内部に格納できるので、止水装置の全体形状をコンパクトにできる。
第３発明によれば、止水板を下降させた設置状態では防水シートの側縁部が支柱部材に接触して曲げられるので、止水板と支柱部材の間を水密に塞ぐことができ、止水性能が高い。また、止水板を上昇させた格納状態では防水シートの側縁部の曲げが伸ばされるので、昇降用チェーンの巻き取り屈曲に従い防水シートが屈曲し、止水板を巻いた状態で梁部材の内部に格納できる。
第４発明によれば、下部スプロケットは外径が小さいので、支柱部材の下端により近づけて配置できる。また、最下段のスラットは第１チェーンの端部に固定されているので、第１チェーンの端部が下部スプロケットに達するまで下方に引き付けることができる。最下段のスラットをより床面の近くまで引き付けることができるため、最下段のスラットの高さを低くできる。その結果、止水板を格納する梁部材をコンパクトにでき、止水装置の設置の制約が少なくなる。
【図面の簡単な説明】
【０００８】
【図１】第１実施形態に係る止水装置の（Ａ）平面図、（Ｂ）正面図である。
【図２】同止水装置の設置状態における左側面図である。
【図３】同止水装置の格納状態における左側面図である。
【図４】図２におけるIV-IV線矢視断面図である。
【図５】図４におけるV-V線矢視断面図である。
【図６】第１実施形態に係る止水装置の設置状態の左側面図である。
【図７】同止水装置の格納状態における左側面図である。
【図８】同止水装置の設置状態における止水板周囲の拡大正面図である。
【図９】（Ａ）第１チェーンと第２チェーンの接続部分の拡大図である。（Ｂ）図は（Ａ）図のb-b線矢視断面図である。
【発明を実施するための形態】
【０００９】
つぎに、本発明の実施形態を図面に基づき説明する。
（第１実施形態）
図１に示すように、本発明の第１実施形態に係る止水装置Ａは、一対の支柱部材１、１と、一対の支柱部材１、１の上端部間に架け渡された梁部材２とを備えており、全体として門形に構成されている。止水装置Ａは建物や構造物、地下駐車場、地下街、地下駅舎などの入口に設置される。この際、支柱部材１は床面Ｇに立設され、背面が入口の両側の壁Ｗに固定される。
【００１０】
一対の支柱部材１、１の間には昇降可能な止水板３が設けられている。後述のごとく、この止水板３を下降させれば床面Ｇに設置した設置状態（図１の状態）にでき、上昇させれば梁部材２の内部に格納した格納状態にできる。
【００１１】
止水装置Ａは、全体形状が支柱部材１、１と梁部材２とからなる門形にまとまっており、設置に床下の工事が不要な地上構造物であるので、既設の建物にでも後付けで容易に設置できる。
【００１２】
図２に示すように、支柱部材１は縦長箱形の中空部材であり、その内部には、上端部に上部スプロケット１１が配置され、下端部に下部スプロケット１２が配置されている。上部スプロケット１１と下部スプロケット１２には無端ローラチェーンである昇降用チェーン１３が掛け回されている。
【００１３】
支柱部材１の正面（図２における右側の側壁）には、止水板３を昇降操作するためのハンドル１４が取り付けられている。ハンドル１４は取り外し可能とし、止水板３を昇降操作するときのみ取り付けるよう構成することが好ましい。なお、ハンドル１４は特許請求の範囲に記載の「昇降操作手段」に相当する。
【００１４】
支柱部材１の内部には、減速機１５が設けられている。減速機１５としては特に限定されないが、例えばウォームギヤやベベルギヤ減速機が用いられる。減速機１５の入力側の回転軸には制動装置１６を介してハンドル１４の回転軸が接続されており、出力側の回転軸には第１スプロケット１７が設けられている。制動装置１６としては減速機１５側から伝わる力を制動できる装置であれば特に限定されないが、例えばネジブレーキが用いられる。
【００１５】
支柱部材１の上端部には、上部スプロケット１１と同軸に第２スプロケット１８が配置されている。第１スプロケット１７と第２スプロケット１８には無端ローラチェーン１９が掛け回されている。第２スプロケット１８と上部スプロケット１１は共通の回転軸２１に設けられており、同期して回転するように構成されている（図４参照）。
【００１６】
ハンドル１４を回すと、減速機１５を介して第１スプロケット１７が回転し、無端ローラチェーン１９を介して第２スプロケット１８が回転する。第２スプロケット１８とともに上部スプロケット１１が回転し、昇降用チェーン１３を介して下部スプロケット１２が回転する。このように、ハンドル１４を回すことにより昇降用チェーン１３に駆動力を付与することができる。
【００１７】
昇降用チェーン１３には止水板３とカウンタウエイト４が固定されている。そのため、ハンドル１４を回すと、昇降用チェーン１３を駆動して止水板３を下降させ（カウンタウエイト４を上昇させ）設置状態（図２の状態）にできる。ハンドル１４を逆に回すと、昇降用チェーン１３を駆動して止水板３を上昇させ（カウンタウエイト４を下降させ）格納状態（図３の状態）にできる。
【００１８】
図４に示すように、一対の支柱部材１、１は左右対称の構成である。ただし、上記ハンドル１４、減速機１５、制動装置１６、第１スプロケット１７、第２スプロケット１８、および無端ローラチェーン１９は、一方の支柱部材１（図４における左側の支柱部材１）にのみ設けられている。
【００１９】
梁部材２は横長箱形の中空部材であり、その内部には前記回転軸２１が設けられている。回転軸２１の両端部は支柱部材１、１の内部に達しており、回転軸２１により一方の支柱部材１に設けられた上部スプロケット１１と、他方の支柱部材１に設けられた上部スプロケット１１とが連結されている。そのため、一対の支柱部材１、１の各上部スプロケット１１、１１は同期して回転するように構成されている。これにより、ハンドル１４を回すことで、両方の支柱部材１、１の昇降用チェーン１３、１３に駆動力を付与することができ、しかも同期して駆動させることができる。
【００２０】
図５に示すように、止水板３は５枚のスラット３１〜３５からなる。各スラット３１〜３５は一対の支柱部材１、１の間の寸法と略同一寸法を有する横長の部材であり、それらを縦に接続して止水板３が構成されている。なお、止水板３を構成するスラット３１〜３５の数は５枚に限られず、４枚以下でもよいし、６枚以上でもよい。
【００２１】
各スラット３１〜３５は、垂直な止水面と、その上縁および下縁に設けられたリブからなり、断面が略Ｃ字形に形成されている（図２参照）。このような構造であるので、スラット３１〜３５の剛性が高く、水圧に対する耐性が高い。
【００２２】
各スラット３１〜３５の両側部には、それぞれ支持板３１ａ〜３５ａが固定されている。支柱部材１の内側の側壁には縦方向にスリット２２が形成されている。支持板３１ａ〜３５ａの先端部は、そのスリット２２から支柱部材１の内部に挿入されている。支持板３１ａ〜３５ａがスリット２２の縁部に当接することで、止水板３に加わる水圧を支柱部材１で受け止めることができる。
【００２３】
昇降用チェーン１３を構成する一部の駒はベントアタッチメントを有する。このベントアタッチメントに支持板３１ａ〜３５ａの先端部が固定されており、各スラット３１〜３５が２本の昇降用チェーン１３、１３の間に掛け渡されている。このようにして、止水板３は、一方の側部が一方の支柱部材１に設けられた昇降用チェーン１３に固定され、他方の側部が他方の支柱部材１に設けられた昇降用チェーン１３に固定されている。
【００２４】
最下段のスラット３１を除く他のスラット３２〜３５は、高さ寸法が昇降用チェーン１３のピッチと略同一である。スラット３１〜３５は、昇降用チェーン１３の１つの駒に１つずつ固定されている。そして、昇降用チェーン１３の長手方向（図５における上下方向）において、スラット３１〜３５の接続部分が昇降用チェーン１３のピン１３ｐの軸心と略同位置に配置されている。すなわち、昇降用チェーン１３の屈曲部分と止水板３の屈曲部分が略同位置となっている。なお、昇降用チェーン１３の１つの駒に１つのスラット３１〜３５が固定されるので、昇降用チェーン１３として比較的ピッチが長いダブルピッチローラチェーンを用いることが好ましい。
【００２５】
図２および図４に示すように、止水板３の止水面には、全面に渡って防水シート３６が貼り付けられている。なお、図５においては、説明のため防水シート３６を省略している。この防水シート３６によりスラット３１〜３５の接続部分が塞がれ、止水板３の防水性能を高くしている。なお、防水シート３６としては、柔軟性と防水性を有するシートであれば特に限定されないが、例えば6〜10mm厚の水密ゴムシートが用いられる。
【００２６】
防水シート３６の下縁は最下段のスラット３１の下縁より下方に突出して設けられている。そのため、止水板３を設置状態にすると、防水シート３６の下縁が床面Ｇに圧接されるように構成されている。なお、最下段のスラット３１の下面に、防水シート３６とは別に止水部材を設けてもよい。止水部材としては可撓性と防水性を有する素材あれば特に限定されないが、例えばゴム製のバーが用いられる。
【００２７】
また、図４に示すように、支持板３１ａ〜３５ａは途中で屈曲しており、スラット３１〜３５の固定部分と昇降用チェーン１３の固定部分とに段差が設けられている。これにより、昇降用チェーン１３の高さ方向（図４における上下方向）において、防水シート３６の厚さ中心が昇降用チェーン１３のピン１３ｐの軸心と略同位置に配置されている。
【００２８】
以上のような構成であるため、昇降用チェーン１３の屈曲に従いスラット３１〜３５の接続部分が屈曲し、防水シート３６が伸び縮みなく屈曲し、止水板３を巻いた状態にできる。そのため、図３に示すように、止水板３を上昇させると回転軸２１の周囲に巻かれた状態で梁部材２の内部に格納可能となっている。
【００２９】
図４に示すように、防水シート３６の幅寸法は一対の支柱部材１、１の間の寸法より若干長く設定されており、止水板３を設置状態とすると防水シート３６の側縁部が支柱部材１の内側の側壁に接触して曲げられる。そのため、設置状態において止水板３と支柱部材１の間を水密に塞ぐことができ、止水性能を高くすることができる。なお、防水シート３６として水密ゴムシートを用いる場合には、6〜10mm厚のものを採用することが好ましい。水密ゴムシートの厚さが6mm未満であると柔らかすぎ、止水板３と支柱部材１の間を塞ぐ部分が水圧に耐えられない恐れがある。また、水密ゴムシートの厚さが10mmより大きいと硬すぎ、水密ゴムシートの側縁部を曲げることが困難となる。
【００３０】
また、支柱部材１と梁部材２の接続部分には、防水シート３６の側縁部が接触する位置にガイド２３が設けられている。このガイド２３は、止水板３を上昇させると梁部材２の内部に入る際に防水シート３６の側縁部の曲げが開放され伸ばされるように構成されている。そのため、梁部材２の内部では昇降用チェーン１３の巻き取り屈曲に従い防水シート３６が屈曲し、止水板３を巻いた状態で梁部材２の内部に格納できる。また、止水板３を下降させると梁部材２の内部から出る際に防水シート３６の側縁部が曲げられる。
【００３１】
図２および図３に示すように、昇降用チェーン１３にはカウンタウエイト４が固定されている。カウンタウエイト４は４つのウエイト４１〜４４からなり、各ウエイト４１〜４４は昇降用チェーン１３を構成する駒のベントアタッチメントに固定されている。ウエイト４１〜４４は、昇降用チェーン１３の１つの駒に１つずつ固定されており、昇降用チェーン１３の屈曲に従いウエイト４１〜４４の接続部分が屈曲し、巻いた状態にできる。なお、ウエイト４１〜４４は支柱部材１の内部に設けられており、支柱部材１の内部において昇降する（図４参照）。
【００３２】
カウンタウエイト４の取り付け位置は、止水板３のほぼ反対側である。図２に示すように止水板３を下降させて設置状態にすると、カウンタウエイト４は上昇し上部スプロケット１１の周囲に巻かれた状態となる。一方、図３に示すように止水板３を上昇させて格納状態にすると、カウンタウエイト４は下降し最下段のウエイト４１が支柱部材１の底面に接触する。
【００３３】
つぎに、止水装置Ａの使用方法について説明する。
通常時は、止水板３は梁部材２の内部に格納された格納状態である。
高潮や集中豪雨などにより浸水が予想される場合に、ハンドル１４を回し、昇降用チェーン１３を駆動させて止水板３を下降させて設置状態とする（図２参照）。
【００３４】
前述のごとく、支柱部材１の下端部に配置された下部スプロケット１２に掛け回された昇降用チェーン１３に止水板３が固定されている。そのため、昇降用チェーン１３を駆動させて止水板３を下降させると、昇降用チェーン１３の下降側（図２における左側）には下部スプロケット１２に引き付けられる張力が生じる。それにより止水板３を下方に引き付けて、防水シート３６の下縁または止水部材を床面Ｇに圧接できるため止水性能が高くなる。しかも、止水板３の重量を重くする必要がないため、小さな力で止水板３を昇降できる。
【００３５】
また、減速機１５の倍力作用により、より小さな力で止水板３を昇降できる。
また、制動装置１６が設けられているので、圧接された防水シート３６や止水部材の反発力など、昇降用チェーン１３に外力が働いても制動装置１６により駆動が抑制される。そのため、止水板３を床面Ｇに圧接した状態を維持でき、止水性能を維持できる。
【００３６】
また、カウンタウエイト４により止水板３の重量とつり合いを取ることで、止水板３の昇降に必要な力が軽減でき、ハンドル１４により楽に止水板３を昇降させることができる。しかも、カウンタウエイト４を有しても止水板３を下方に引き付ける力には影響がないので、止水性能が高くすることができる。
【００３７】
止水板３を格納する場合には、ハンドル１４を逆に回して昇降用チェーン１３を駆動させて止水板３を上昇させる（図３参照）。そうすると、止水板３を巻いた状態で梁部材２の内部に格納できる。このように、格納状態の止水板３を小さくまとめることができるので、止水装置Ａの全体形状をコンパクトにできる。また、手差し式の止水装置のように、別の場所に止水板を保管する必要がない。しかも、容易に止水板３を下降させることができるので、保守・管理が容易である。
【００３８】
止水板３を格納状態にすると、最下段のウエイト４１が支柱部材１の底面に接触するため、それ以上止水板３を上昇させることができなくなる。このようにカウンタウエイト４はストッパとしての機能も有する。また、止水板３が回転軸２１の周囲に巻かれた状態では、一部のスラット３３、３４が上部スプロケット１１の頂点を乗り越えて、カウンタウエイト４側に移動する。そうすると、カウンタウエイト４との重量のつり合いが崩れ、止水板３が自然下降する力が減少する。そのため、止水板３を格納状態としている場合に外力が働いても止水板３が下降することを抑制できるので安全である。
【００３９】
（第２実施形態）
図６に示すように、本発明の第２実施形態に係る止水装置Ｂは、第１実施形態に係る止水装置Ａにおいて、支柱部材１の下端部に配置された下部スプロケット１２として、上部スプロケット１１よりも外径が小さいものを採用した形態である。下部スプロケット１２は外径が小さいため、第１実施形態の下部スプロケット１２よりも支柱部材１の下端に近づけて配置されている。
【００４０】
昇降用チェーン１３は、長尺ピッチの第１チェーン１３ａの両端部と、短尺ピッチの第２チェーン１３ｂの両端部をそれぞれ連結して構成されている。第１チェーン１３ａは上部スプロケット１１に掛け回されており、第２チェーン１３ｂは下部スプロケット１２に掛け回されている。すなわち、第１チェーン１３ａのピッチは上部スプロケット１１のチェーンピッチに合わせられており、第２チェーン１３ｂのピッチは下部スプロケット１２のチェーンピッチに合わせられている。これは、下部スプロケット１２の外径を小さくしたことに伴い、下部スプロケット１２のチェーンピッチが上部スプロケット１１のチェーンピッチよりも短くなっているためである。
【００４１】
図９に示すように、第１チェーン１３ａの端部の駒の中間位置には継手リンク１３ｃがピン連結されている。継手リンク１３ｃは幅広部分と幅狭部分とからなり、幅広部分に第１チェーン１３ａの端部の駒がピン連結されている。そして継手リンク１３ｃの幅狭部分に第１チェーン１３ａより幅の狭い第２チェーン１３ｂの端部の駒がピン連結されている。このようにして、第１チェーン１３ａの端部と第２チェーン１３ｂの端部とが連結されている。そのため、第１チェーン１３ａの端部の駒と第２チェーン１３ｂの端部の駒とがオーバラップして連結されている。
【００４２】
図６に戻り、止水板３は５枚のスラット３１〜３３からなり、最下段のスラット３１は第１チェーン１３ａの端部の駒に固定されている。また、カウンタウエイト４は４つのウエイト４１〜４４からなり、最下段のウエイト４１は第１チェーン１３ａのもう一方の端部の駒に固定されている。
【００４３】
本実施形態においても、ハンドル１４を回すと、昇降用チェーン１３を駆動して止水板３を下降させ（カウンタウエイト４を上昇させ）設置状態（図６の状態）にできる。ハンドル１４を逆に回すと、昇降用チェーン１３を駆動して止水板３を上昇させ（カウンタウエイト４を下降させ）格納状態（図７の状態）にできる。
【００４４】
図８に示すように、最下段のスラット３１の高さｈ２は、第１実施形態のスラット３１の高さｈ１（図５参照）に比べて低く形成されている。本実施形態では下部スプロケット１２が支柱部材１の下端に近づけて配置されており、最下段のスラット３１は第１チェーン１３ａの端部の駒に固定されているので、第１チェーン１３ａの端部が下部スプロケット１２に達するまで下方に引き付けることができる。しかも、第１チェーン１３ａの端部の駒と第２チェーン１３ｂの端部の駒とがオーバラップして連結されているので、第１チェーン１３ａの端部をより下部スプロケット１２に近づけて下方に引き付けることができる。すなわち、最下段のスラット３１を第１実施形態に比べて床面Ｇの近くまで引き付けることができる。そのため、最下段のスラット３１の高さｈ２を低くできるのである。
【００４５】
図７に示すように、最下段のスラット３１の高さｈ２を低くしたことにより、止水板３を格納する梁部材２の高さＨを、第１実施形態に比べて低くできる（図３参照）。このように梁部材２をコンパクトにできるので、止水装置Ｂの設置の制約、特に止水装置Ｂの上部の環境の制約が少なくなる。そのため、既設の建物にでも後付けで容易に設置できる。
【００４６】
（その他の実施形態）
上記実施形態では、昇降操作手段としてハンドル１４を用いたが、これに代えて、または追加して電動モータを用いてもよい。この場合、浸水により電源を喪失しても動作するように、電動モータに電力を供給するバッテリーを搭載することが好ましい。さらに、太陽電池によりバッテリーの自然放電分を充電するように構成すれば、電源が不要となるためより好ましい。
【符号の説明】
【００４７】
１          支柱部材
１１        上部スプロケット
１２        下部スプロケット
１３        昇降用チェーン
１４        ハンドル
１５        減速機
１６        制動装置
１７        第１スプロケット
１８        第２スプロケット
１９        無端ローラチェーン
２          梁部材
２１        回転軸
２２        スリット
２３        ガイド
３          止水板
３１〜３５  スラット
３６        防水シート
４          カウンタウエイト
４１〜４４  ウエイト
【図１】
2014227721.tif 000003
【図２】
2014227721.tif 000004
【図３】
2014227721.tif 000005
【図４】
2014227721.tif 000006
【図５】
2014227721.tif 000007
【図６】
2014227721.tif 000008
【図７】
2014227721.tif 000009
【図８】
2014227721.tif 000010
【図９】
2014227721.tif 000011